(57)【要約】【課題】メニュー画面の出画を早くできるようにすると共に、少ないメモリ容量でも十分に対応できる情報再生装置を提供する。【解決手段】所定規格のファイルにおける複数のメニュー画面のうち表示頻度に応じて予め設定されたメニュー画面に対する優先順位を示す優先値を格納した優先値テーブルを備え、システムコントローラ１０は、メニュー画面の再生動作中において、再生動作に余裕のあるときに優先値テーブルを参照して優先順位の高いメニュー画面を先読みしてＲＡＭ１６に保存し、次に選択されたメニュー画面がＲＡＭ１６に保存されているメニュー画面である場合には、ＲＡＭ１６から表示すべきメニュー画面を読み出してディスプレイ装置１３１に表示する一方、次に選択されたメニュー画面がＲＡＭ１６に保存されていない場合には、光ディスク１５から表示すべきメニュー画面を読み出してディスプレイ装置１３１に表示する。【選択図】図１
2009070432.tif 000002
【特許請求の範囲】
【請求項１】
記録媒体に記録された所定規格のファイルを再生することのできる情報再生装置において、
前記所定規格のファイルにおける複数のメニュー画面の再生動作を制御する制御手段と、前記複数のメニュー画面のうち表示頻度に応じて予め設定されたメニュー画面に対する優先順位を示す優先値を格納した優先値テーブルとを備え、
前記制御手段は、前記メニュー画面の再生動作中において、再生動作に余裕のあるときに前記優先値テーブルを参照して優先順位の高いメニュー画面を先読みしてメモリ部に保存し、次に選択されたメニュー画面が前記メモリ部に保存されているメニュー画面である場合には、当該メモリ部から表示すべきメニュー画面を読み出して表示する一方、次に選択されたメニュー画面が前記メモリ部に保存されていない場合には、前記記録媒体から表示すべきメニュー画面を読み出して表示することを特徴とする情報再生装置。
【請求項２】
前記制御手段は、前記記録媒体から読み出したメニュー画面のデータを一旦バッファに書き込んだ後、当該バッファから読み出す再生動作を行う場合において、前記バッファへの書き込みが満杯状態になったときに前記優先値テーブルを参照して優先順位の高いメニュー画面を先読みしてメモリ部に保存することを特徴とする請求項１に記載の情報再生装置。
【請求項３】
前記所定規格のファイルは、各メニュー画面に対してメニュータイプが記述されているファイルであり、前記優先値テーブルの優先値は前記メニュータイプに基づいて設定されていることを特徴とする請求項１に記載の情報再生装置。
【発明の詳細な説明】
【技術分野】
【０００１】
本発明は、少なくとも光ディスクに記録された所定規格のファイルやその他の情報を再生することができる情報再生装置に係り、特に、メニュー画面を表示させる表示機能に関する。
【背景技術】
【０００２】
近年、動画像や音声などの情報を記録した光ディスクの情報を再生させるＤＶＤプレイヤやＤＶＤレコーダなどの光ディスク装置の開発が進み、動画の圧縮方式として、ＭＰＥＧ２圧縮形式を採用したＤＶＤビデオや、ＭＰＥＧ４圧縮形式のＡＶＩ（Audio Video Interleave）の規格を採用したDivX Ultra（登録商標：以下同じ）ファイルは、高画質な動画を再生できることから、普及が進んでいる。
【０００３】
ところで、ＤＶＤ規格の光ディスクは記録容量が大きいので、ビデオ信号を記録する場合、２時間程度の映画であれば、１作品を１枚の光ディスクに記録することができる。しかも、その記録時に、日本語の字幕、言語の字幕、日本語の音声、言語の音声などを一緒に記録することができる。このような光ディスクはＤＶＤビデオ規格の光ディスクであり、ＤＶＤビデオディスクと呼ばれている。光ディスク装置には、仕様としてインターラクティブな操作性が規定されている。そして、ＤＶＤビデオディスクの情報を再生する場合、ユーザのリモコン操作及び光ディスク装置の動作は、例えば、次のように行われる。
【０００４】
すなわち、ＤＶＤビデオディスクを光ディスク装置に装填してセットすると、光ディスク装置は、ＤＶＤビデオディスクに対する再生動作を開始し、ディスプレイ装置には、例えば、図５に示すように、メインメニュー画面Ａが表示され、光ディスク装置は、キー入力待ちとなる。ここで、ユーザがメインメニュー画面Ａにおける項目「チャプターメニュー」を選択すると、チャプターのサブメニューが表示されたチャプター選択画面Ｂになる。そして、ユーザが目的とするチャプターを選択すると、そのチャプターから再生が開始される。
【０００５】
また、メインメニュー画面Ａにおける項目「オーディオメニュー」あるいは「字幕メニュー」を選択すると、オーディオ選択メニュー画面Ｃあるいは字幕サブメニュー画面Ｄが表示され、音声あるいは字幕を選択することができる。目的とする音声あるいは字幕を選択すると、再生時、その選択した音声あるいは字幕の再生ができるようになる。さらに、メインメニュー画面Ａにおける項目「再生」を選択すると、ＤＶＤビデオディスクに記録されている映画の再生が開始される。
【０００６】
ところが、前述したようなユーザの操作及び光ディスク装置の動作においては、例えば、図５に示すメインメニュー画面Ａの表示状態からチャプター選択画面Ｂの表示状態に遷移する場合、光ディスク装置は、メインメニュー画面Ａの表示状態では、キー入力待ちとなっており、キー入力を行うと、ＤＶＤビデオディスクのうち、チャプター選択画面Ｂのデータが記録されている位置に光ピックアップをシークさせる。そして、光ディスクの回転数などが安定したら、そのシーク位置からデータの再生を開始し、その再生信号により、チャプター選択画面Ｂを表示する動作を行うことになる。
【０００７】
つまり、ユーザのキー入力があると、そのキー入力に対応したトラック位置までシークし、次のメニュー画面に必要な信号を再生するようにしている。このため、ユーザがキー入力してから対応するメニュー画面が出画されるまでに時間が多くかかり、インターラクティブ性を損ねている。なお、ＤＶＤビデオディスクに限らず、光ディスクに記録されたDivX Ultraファイルについても、メニュー画面の出画に多くの時間を要するという課題がある。特に、DivX Ultraファイルにおいては、メニュー画面の出画には、例えば、５秒程度の時間を要することが多い。
【０００８】
そこで、特許文献１記載の発明では、メインメニューから選択するサブメニューが決定される前に、複数のサブメニューの表示データをディスクから再生してメモリに記憶し、メインメニューから複数のサブメニューの一つを選択したとき、メモリから、これに記憶した複数のサブメニューのうち、選択したサブメニューの表示データを読み出してビデオ信号に変換し、このビデオ信号をディスプレイ装置に供給して、ディスプレイ装置にサブメニュー画面を表示させるようにしている。
【０００９】
また、特許文献２記載の発明では、ディスク再生開始ならびにチャプター間のジャンプ操作に対する応答速度を向上させることを目的として、光ディスクの最初に再生されるメニュー画面のストリームデータを予めメニューバッファメモリに格納しておくことにより、ディスク投入時にメニューバッファメモリからメニュー画面のストリームデータを読み出してＭＰＥＧデコーダによりデコードを開始するようにしている。
【特許文献１】特開２００２−１２４０６９号公報
【特許文献２】特開２００５−２９３７８３号公報
【発明の開示】
【発明が解決しようとする課題】
【００１０】
しかし、特許文献１記載の発明では、メインメニューから選択するサブメニューが決定される前に、複数のサブメニューの表示データをディスクから再生してメモリに記憶しているが、メモリに容量不足が生じた場合、複数のサブメニューの表示データの全部をメモリに記憶させることができなくなるととった問題があった。
【００１１】
また、特許文献２記載の発明では、光ディスクの最初に再生されるメニュー画面のストリームデータを予めメニューバッファメモリに格納しているが、メニューバッファメモリに容量不足が生じた場合、光ディスクの最初に再生されるメニュー画面のストリームデータの全部をメニューバッファメモリに格納させることができなくなるといった問題があった。
【００１２】
本発明はかかる問題点を解決すべく創案されたもので、その目的は、メニュー画面の出画を早くできるようにすると共に、メニュー画面の出画を早くできるようにするために用いられるメモリの容量不足が生じないようにする情報再生装置を提供することにある。
【課題を解決するための手段】
【００１３】
上記目的を達成するため、本発明の情報再生装置は、記録媒体に記録された所定規格のファイルを再生することのできる情報再生装置において、前記所定規格のファイルにおける複数のメニュー画面の再生動作を制御する制御手段と、前記複数のメニュー画面のうち表示頻度に応じて予め設定されたメニュー画面に対する優先順位を示す優先値を格納した優先値テーブルとを備え、前記制御手段は、前記メニュー画面の再生動作中において、再生動作に余裕のあるときに前記優先値テーブルを参照して優先順位の高いメニュー画面を先読みしてメモリ部に保存し、次に選択されたメニュー画面が前記メモリ部に保存されているメニュー画面である場合には、当該メモリ部から表示すべきメニュー画面を読み出して表示する一方、次に選択されたメニュー画面が前記メモリ部に保存されていない場合には、前記記録媒体から表示すべきメニュー画面を読み出して表示することを特徴としている。
【００１４】
このような構成によれば、メニュー画面の再生動作中において、再生動作に余裕のあるときに、次に選択されるであろうと思われる優先値の高い一つ若しくは複数のメニュー画面を先読みしてメモリ部に保存するので、次に選択されたメニュー画面がメモリ部に保存されているメニュー画面である場合には、そのメモリ部から表示すべきメニュー画面を読み出して表示することができる。ここで、メモリ部として高速なＲＡＭや、フラッシュメモリ、ＥＥＰＲＯＭ等の不揮発性メモリ、さらには本情報再生装置がハードディスク（ＨＤ）内蔵型のものであれば、当該ハードディスクを利用することで、メニュー画面を高速に読み出して表示することができる。また、本発明では、全てのメニュー画面をメモリ部に保存するのではなく、優先値の高い少なくとも一つのメニュー画面をメモリ部に保存する構成としている、これにより、メニュー画面を高速表示するためのメモリ部の容量は比較的小さい容量でよいため、メモリ部を他の用途に利用することができる。
【００１５】
一方、次に選択されたメニュー画面がメモリ部に保存されていない場合には、従来通り記録媒体から表示すべきメニュー画面を読み出して表示する。
【００１６】
この場合（２）、前記制御手段は、前記記録媒体から読み出したメニュー画面のデータを一旦バッファに書き込んだ後、当該バッファから読み出す再生動作を行う場合において、前記バッファへの書き込みが満杯状態になったときに前記優先値テーブルを参照して優先順位の高いメニュー画面を先読みしてメモリ部に保存する構成とする。すなわち、上記の「再生動作に余裕のあるとき」とは、具体的には「バッファへの書き込みが満杯状態になったとき」である。
【００１７】
また（２）、前記所定規格のファイルは、各メニュー画面に対してメニュータイプが記述されているファイルであり、具体的には上記したDivX Ultraファイルがこれに該当する。そして、優先値テーブルの優先値は、このDivX Ultraファイルのメニュータイプに基づいて設定されている。
【発明の効果】
【００１８】
以上説明したように、本発明によれば、頻繁に表示されると推測されるメニュー画面のデータのうち、使用頻度が高いと推測される１若しくは複数のメニュー画面を光ディスクからメモリ部に予め格納しておくことにより、少ないメモリ容量でも、頻繁に表示されるメニュー画面の出画を早くすることができる。また、全てのメニュー画面をメモリ部に格納するものではないので、メニュー画面の出画を早くできるようにするために用いられるメモリの容量が不足するといった事態も発生せず、良好な高速出画を実現することができる。
【発明を実施するための最良の形態】
【００１９】
以下、本発明の実施の形態について、図面を参照して説明する。
【００２０】
図１は本発明の一実施形態に係る情報再生装置としての複合型記録再生装置の構成を示すブロック図である。なお、ここでは、メニュー画面の出画を早くできるようにするために用いられるメモリ部としてＲＡＭを使用する場合について説明する。なお、ＲＡＭを使用する場合には、メニュー画面の出画を早くできるようにするために用いられるメモリ部としてハードディスクを使用しないので、単体の光ディスク装置であっても、本メニュー画面表示機能を採用できることは言うまでもない。また、ここでの光ディスク装置は、記録及び再生が可能なＤＶＤレコーダについて説明しているが、再生のみ可能なＤＶＤプレイヤにも、本メニュー画面表示機能を採用できることは言うまでもない。
【００２１】
図１において、本実施形態の複合型記録再生装置１は、光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムやデータなどを記憶するフラッシュメモリ６と、システムコントローラ１０の動作に必要なデータを一時的に記憶するＲＡＭ１６とを備えている。
【００２２】
また、この複合型記録再生装置１は、デコーダ５で復号された映像信号をテレビジョン受像機１３のディスプレイ装置１３１で表示可能な映像信号に変換する映像出力部７と、メニュー画面、タイトルリスト画面、番組表などをテレビジョン受像機１３のディスプレイ装置１３１に表示させるためのＯＳＤ部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２３】
システムコントローラ１０は、本実施形態の特徴として、光ディスク１５に記録されているメニュー画面の再生動作中において、再生動作に余裕のあるときに、後述する優先値テーブルを参照して優先順位の高いメニュー画面を先読みしてメモリ部（（高速処理を行うＲＡＭ１６またはＨＤ１４）に保存し、次に選択されたメニュー画面がメモリ部に保存されているメニュー画面である場合には、当該メモリ部から表示すべきメニュー画面を読み出して表示する一方、次に選択されたメニュー画面がメモリ部に保存されていない場合には、光ディスク１５から表示すべきメニュー画面を読み出して表示する処理を実行する。
【００２４】
また、システムコントローラ１０は、一般的な再生動作として、光ディスク１５から読み出したメニュー画面のデータを一旦バッファ２１に書き込んだ後、当該バッファ２１から読み出す再生動作を行う。そして、本実施形態の特徴として、このような再生動作中において、バッファ２１への書き込みが満杯状態になったときに、優先値テーブルを参照して優先順位の高いメニュー画面を先読みしてメモリ部に保存するようになっている。
【００２５】
図２は、本実施形態において優先値テーブルの内容の一例を示す説明図である。
【００２６】
図２において、優先値テーブルＴには、メニュー画面の種類と、メニュー画面が表示される頻度の優先順位を示す優先値との関係が格納されている。最も頻繁に表示されると推測されるメニュー画面の優先値を１としている。優先値の値が小さい方が、優先順位が高いことを示している。例えば、DivX Ultraファイルにおいて、ルートメニュー画面（初めに表示される初期メニュー画面）は優先値が１、“subtitle”メニュー画面は優先値が１．５、“other”メニュー画面は優先値が２、“audio”メニュー画面は優先値２．５にそれぞれ設定されている。この優先値テーブルＴは、例えば、フラッシュメモリ６に記憶される。
【００２７】
図３は、本実施形態においてメニュー画面の優先値の一例を説明するためのブロック図である。
【００２８】
図３に示すように、ルートメニュー画面３１は、例えばリモコン１１によりメニュー画面の表示操作がされたときに、初めにディスプレイ装置１３１に表示される初期メニュー画面であり、このルートメニュー画面３１は頻繁に表示されるので、メニュー表示の優先順位が高く優先値が１に設定される。なお、優先値の値が小さい方が、メニュー画面の表示の優先順位が高い。例えば、DivX Ultraファイルのメニュー画面には、メニュータイプとして“title” “chapter” “audio” “subtitle” “other”が記述されている。DivX Ultraファイルにおける複数のメニュー画面のうち使用頻度に応じて予め設定されたメニュー画面と優先値との対応関係は、前述したように、優先値テーブルＴとして、フラッシュメモリ６に予め記憶されている。
【００２９】
“subtitle”メニュー画面３２は、ルートメニュー画面３１から“subtitle”が選択されたときのメニュー画面であり、この優先値は、リンク元の優先値、例えば、ルートメニュー画面３１の優先値１に０．５が加算されて１．５になっている。“other”メニュー画面３３は、ルートメニュー画面３１から任意のメニュー画面が選択されたときのメニュー画面であり、この優先値は、リンク元の優先値、例えば、ルートメニュー画面３１の優先値１に１が加算されて２になっている。また、“other”メニュー画面３５は、“subtitle”メニュー画面３２から任意のメニュー画面が選択されたときのメニュー画面であり、この優先値は、リンク元の優先値、例えば、“subtitle”メニュー画面３２の優先値１．５に１．５が加算されて３になっている。
【００３０】
“audio”メニュー画面３６は、“other”メニュー画面３４から“audio”が選択されたときのメニュー画面であり、この優先値は、リンク元の優先値、例えば、“other”メニュー画面３４の優先値２に０．５が加算されて２．５になっている。また、“other”メニュー画面３４から“other”が選択されたときのメニュー画面であり、この優先値は、リンク元の優先値、例えば、“other”メニュー画面３４の優先値２に１が加算されて３になっている。
【００３１】
図４は、本実施形態においてメニュー画面を表示させる処理を説明するためのフローチャートである。以下、この図４に示すフローチャート、図１に示す機能ブロック図、及び図２〜図３に示す説明図を参照して、メニュー画面を表示させる処理について説明する。なお、ここでは、光ディスク１５から読み出したメニュー画面のデータをＲＡＭ１６に保存するものとして説明するが、光ディスク１５から読み出したメニュー画面のデータをＨＤ（ハードディスク）１４に保存しても良く、この場合も同様な効果が得られる。
【００３２】
上記したように、本実施形態では、DivX Ultraにおける複数のメニュー画面のうち使用頻度に応じて予め設定されたメニュー画面と優先値との対応関係を示す優先値テーブルＴが、フラッシュメモリ６に予め記憶されている。また、光ディスク１５の再生前においては、フラッシュメモリ６にはメニュー画面はなにも保存されていない。
【００３３】
この状態において、ユーザがリモコン１１の図示しないメニューキーを押下して、ディスプレイ装置１３１に表示すべきメニュー画面を決定すると（ステップＳ１）、システムコントローラ１０は、初めにディスプレイ装置１３１に表示される初期メニュー画面であるルートメニュー画面３１（優先値：１）を光ディスク１５から読み出してＲＡＭ１６に保存する（ステップＳ２）。そして、表示すべきメニュー画面がＲＡＭ１６に既に保存済みか否かを判定する（ステップＳ３）。この場合、ステップＳ２でルートメニュー画面を保存しているので、システムコントローラ１０は、ステップＳ６へと動作を進め、ＲＡＭ１６からルートメニュー画面３１を読み出してディスプレイ装置１３１に表示する。
【００３４】
次に、システムコントローラ１０は、光ディスク１５からメニュー画面を再生中か否かを判定する（ステップＳ７）。すなわち、光ディスク１５から読み出したメニュー画面のデータを一旦バッファ２１に書き込んだ後、当該バッファ２１から読み出す、といった再生動作中か否かを判定する。そして、再生動作中である場合（ステップＳ７でＹｅｓと判断された場合）には、その再生動作中において、バッファ２１への書き込みが満杯状態になったか否かを判定する（ステップＳ８）。その結果、バッファ２１への書き込みが満杯状態になった場合（ステップＳ８でＹｅｓと判断された場合）には、システムコントローラ１０は、優先値テーブルＴを参照して、次に優先順位の高いメニュー画面を一つ先読みしてＲＡＭ１６に保存する（ステップＳ９）。この場合には、表示中のルートメニュー画面３１が優先値１であるので、その次に優先順位の高い優先値１．５である“subtitle”メニュー画面３２を光ディスク１５から先読みしてＲＡＭ１６に保存し、ステップＳ７に戻る。
【００３５】
システムコントローラ１０は、このような優先順位の高い一つのメニュー画面の先読み処理を、ステップＳ７でメニュー再生動作終了と判断されるまで繰り返す。すなわち、メニュー再生動作中において、再度、バッファ２１への書き込みが満杯状態になった場合（ステップＳ８でＹｅｓと判断された場合）には、システムコントローラ１０は、優先値テーブルＴを参照して、次に優先順位の高いメニュー画面を一つ先読みしてＲＡＭ１６に保存する（ステップＳ９）。この場合には、ＲＡＭ１６に既に優先順位１．５の“subtitle”メニュー画面３２を保存しているので、次に優先順位の高い優先値２の“other”メニュー画面３３、または“other”メニュー画面３４のいずれか一方のメニュー画面を先読みしてＲＡＭ１６に保存する。ここで、優先値が同じ場合には、どちらのメニュー画面を先読みしてもよい。どちらを選択するのかは、例えばその都度ランダムに選択するように構成されていてもよいし、予め順番を決めておいてもよい。ここでは、“other”メニュー画面３３を先読みしてＲＡＭ１６に保存したとする。
【００３６】
このように、本実施形態では、一つのメニュー画面の再生動作中において、バッファ２１への書き込みが満杯状態になるたびに、優先値テーブルＴを参照して、優先順位の高い（優先値の小さい）一つのメニュー画面を先読みし、ＲＡＭ１６に保存する構成としているが、メニュー画面保存用に割り当てられているＲＡＭ１６の領域が満杯状態になった場合には、これ以上の書き込みは行わない。
【００３７】
一方、ステップＳ７において、ユーザがリモコン１１を操作して、表示されているルートメニュー画面３１の中の例えば“other”メニュー画面３４を選択したとすると、ルートメニュー画面３１の再生動作が終了するので（ステップＳ７においてＮｏと判断されるので）、システムコントローラ１０は、その操作が次のメニュー画面を選択する操作であるか否かを判定する（ステップＳ１０）。この場合、選択されたのが“other”メニュー画面３４であるので、ステップＳ３に戻り、システムコントローラ１０は、表示すべきメニュー画面がＲＡＭ１６に既に保存済みか否かを判定する。
【００３８】
この場合、ＲＡＭ１６には、“subtitle”メニュー画面３２と“other”メニュー画面３３とが保存されており、“other”メニュー画面３４は保存されていないので、ステップＳ３からステップＳ４へと動作を進め、システムコントローラ１０は、ＲＡＭ１６に空き容量があり、表示すべきメニュー画面のデータが格納可能か否かを判定する。その結果、格納可能である場合（ステップＳ４でＹｅｓと判断された場合）には、表示すべき“other”メニュー画面３４のデータをＲＡＭ１６に保存し（ステップＳ５）、次に、ＲＡＭ１６から保存した“other”メニュー画面３４を読み出してディスプレイ装置１３１に表示する（ステップＳ６）。
【００３９】
一方、ステップＳ４の判定において、ＲＡＭ１６に空き容量が少なく、表示すべきメニュー画面のデータが格納できないと判定された場合には、システムコントローラ１０は、光ディスク１５から“other”メニュー画面３４を読み出してディスプレイ装置１３１に表示する（ステップＳ１１）。
【００４０】
なお、ステップＳ７において、例えばルートメニュー画面３１において選択されたのがタイトル（本編再生）の項目であった場合には、ステップＳ１０での判断がＮｏとなるため、システムコントローラ１０は、この時点でメニュー画面の再生動作を終了し、光ディスク１５に記録されている本編の再生に移行することになる。
【００４１】
以上説明したように本実施形態によれば、頻繁に表示されると推測される優先順位の高い（すなわち、優先値の小さい）１または複数のメニュー画面のデータのみを光ディスク１５からＲＡＭ１６に予め保存しておくことにより、頻繁に表示されるメニュー画面の出画を早くすることができる。また、ＲＡＭ１６に保存されるメニュー画面は優先順位の高い（すなわち、優先値の小さい）１または複数のメニュー画面のみであり、全てのメニュー画面をＲＡＭ１６に保存するわけではないので、ＲＡＭ１６の容量が不足するといった事態も発生しない。
【産業上の利用可能性】
【００４２】
本発明は、ＤＶＤプレイヤやＤＶＤレコーダなどの光ディスク装置におけるメニュー画面を表示させる表示機能に利用可能であり、例えば、DivX Ultraファイルのメニュー画面であっても、メニュー画面の出画が早くできるようになる。
【図面の簡単な説明】
【００４３】
【図１】本発明の一実施形態に係る情報再生装置としての複合型記録再生装置の構成を示すブロック図である。
【図２】前記実施形態において優先値テーブルの内容の一例を示す説明図である。
【図３】前記実施形態においてメニュー画面の優先値の一例を説明するためのブロック図である。
【図４】前記実施形態においてメニュー画面を表示させる処理を説明するためのフローチャートである。
【図５】ＤＶＤビデオディスクにおけるメニュー画面の一例を示す説明図である。
【符号の説明】
【００４４】
１  複合型記録再生装置（情報再生装置）
２  光ディスク装置
３  ハードディスク装置
４  チューナ
５  デコーダ
６  フラッシュメモリ
７  映像出力部
８  音声出力部
９  リモコン受信部
１０  システムコントローラ
１１  リモコン
１２  ＯＳＤ部
１３  テレビジョン受像機
１４  ＨＤ（メモリ部）
１６  ＲＡＭ（メモリ部）
２１  バッファ
１３１  ディスプレイ装置
１３２  スピーカ
Ｔ  優先値テーブル
【図１】
2009070432.tif 000003
【図２】
2009070432.tif 000004
【図３】
2009070432.tif 000005
【図４】
2009070432.tif 000006
【図５】
2009070432.tif 000007